(57)【要約】      （修正有）【課題】めがね本体を複数の点灯態様で、かつユニークな点灯態様で点灯する発光めがねを提供する。【解決手段】発光めがね１０は、めがね枠１１を含むめがね本体１０Ａと、めがね本体に設けた点灯部１２と、コントローラ１３を少なくとも備え、コントローラは、点灯部１２を点灯制御する点灯制御部と、電源部１５と、マイク１７と、点灯部の点灯態様のモードを切り替える切替スイッチ１６とを備えている。点灯制御部は、切替スイッチが操作されたときに、モードに応じて、常時点灯、点滅またはマイクから入力された音に反応した点灯のいずれかの点灯態様で点灯部を制御する。【選択図】図１
0003192361.tif 000002
【実用新案登録請求の範囲】
【請求項１】
めがね枠を含むめがね本体と、該めがね本体に設けた点灯部と、該点灯部を点灯制御する点灯制御部と、電源部と、マイクと、前記点灯部の点灯態様のモードを切り替える切替スイッチとを少なくとも備えており、
前記点灯制御部は、前記切替スイッチが操作されたときに、モードに応じて、常時点灯、点滅または前記マイクから入力された音に反応した点灯のいずれかの点灯態様で前記点灯部を制御することを特徴とする発光めがね。
【請求項２】
請求項１において、
前記電源部、前記マイクおよび前記切替スイッチは、前記めがね枠とは別体のコントローラに装備されている、発光めがね。
【請求項３】
請求項１または２において、
前記点灯部は、ＥＬワイヤーよりなり、前記めがね枠の外周に固着されている、発光めがね。
【請求項４】
請求項１〜３のいずれか１項において、
前記めがね枠のレンズ枠にはレンズが嵌められており、そのレンズに前記点灯部が取り付けられている、発光めがね。
【考案の詳細な説明】
【技術分野】
【０００１】
本発明は、めがね枠を含むめがね本体に取り付けた点灯部の点灯、点滅等により発光する発光めがねに関する。
【背景技術】
【０００２】
近時、子ども用の玩具やパーティ用の遊び道具として使用できる発光めがねが種々提案されている（たとえば、特許文献１参照）。特許文献１には、電池をめがね枠のアームに設け、ＬＥＤ（発光ダイオード）やＥＬ（エレクトロルミネッセンス）などで構成された点灯部をレンズ枠やヒンジ部に設けた発光めがねの技術が記載されている。
【先行技術文献】
【特許文献】
【０００３】
【特許文献１】特開平６−２３０３２２号公報
【考案の概要】
【考案が解決しようとする課題】
【０００４】
しかしながら、従来の発光めがねは点灯部が常時点灯するか、あるいは定常パターンで点滅する程度の点灯態様であるため、パーティなどでも初めのうちは興味をもたれていても、すぐに飽きられてしまう。
【０００５】
本考案は、このような事情を考慮して提案されたもので、その目的は、めがね本体を複数の点灯態様で、かつユニークな点灯態様で点灯する発光めがねを提供することにある。
【課題を解決するための手段】
【０００６】
上記目的を達成するために、請求項１に記載の発光めがねは、めがね枠を含むめがね本体と、めがね本体に設けた点灯部と、点灯部を点灯制御する点灯制御部と、電源部と、マイクと、点灯部の点灯態様のモードを切り替える切替スイッチとを少なくとも備えており、点灯制御部は、切替スイッチが操作されたときに、モードに応じて、常時点灯、点滅または前記マイクから入力された音に反応した点灯のいずれかの点灯態様で点灯部を制御することを特徴とする。
【０００７】
請求項２に記載の発光めがねでは、電源部、マイクおよび切替スイッチは、めがね枠とは別体のコントローラに装備されている。
【０００８】
請求項３に記載の発光めがねでは、点灯部は、ＥＬワイヤーよりなり、めがね枠の外周に固着されている。
【０００９】
請求項４に記載の発光めがねでは、めがね枠のレンズ枠にはレンズが嵌められており、そのレンズに点灯部が取り付けられている。
【考案の効果】
【００１０】
請求項１に記載の発光めがねによれば、上述の構成となっているため、めがね枠を含むめがね本体を複数の点灯態様で、かつユニークに点灯させることができる。その結果、パーティなどで周囲の人を視覚的に楽しませることができる。
【００１１】
請求項２に記載の発光めがねによれば、上述の構成となっているため、点灯部の点灯操作を自然な動作で人知れず行うことができる。
【００１２】
請求項３に記載の発光めがねによれば、上述の構成となっているため、めがねの輪郭部分を派手に発光させることができる。
【００１３】
請求項４に記載の発光めがねによれば、上述の構成となっているため、さらにユニークな点灯を実現でき、周囲の人をさらに楽しませることができる。
【図面の簡単な説明】
【００１４】
【図１】本考案の一実施形態に係る発光めがねの斜視図である。
【図２】発光めがねの基本ブロック図である。
【考案を実施するための形態】
【００１５】
以下に、本考案の実施の形態について、添付図面を参照して説明する。
【００１６】
図１に示した発光めがね１０は、めがね枠１１を含むめがね本体１０Ａと、めがね本体１０Ａに設けた点灯部１２と、点灯部１２を点灯制御する点灯制御部１４と、電源部１５と、マイク１７と、点灯部１２の点灯態様のモードを切り替える切替スイッチ１６とを少なくとも備えている。点灯制御部１４は、切替スイッチ１６が操作されたときに、モードに応じて、常時点灯、点滅またはマイク１７から入力された音に反応した点灯のいずれかの点灯態様で点灯部１２を制御する。
【００１７】
本実施形態のめがね本体１０Ａは、めがね枠１１と、レンズ１９とを有している。めがね枠１１はレンズ枠１１ａと、アーム１１ｂ（テンプル、つる）とより構成され、両部材は折りたたみ自在にヒンジ結合されている。めがね枠１１のレンズ枠１１ａにはレンズ１９が嵌まっているが、そうでないものであってもよい。つまり、発光めがね１０はレンズ１９を含まない構成であってもよい。
【００１８】
点灯部１２は２本のＥＬワイヤー１２ａ、１２ａで構成されている。ＥＬワイヤー１２ａは通電すると、ワイヤーの全長が点灯するようになっている。それぞれのＥＬワイヤー１２ａ、１２ａは、図１の拡大図に示すように、めがね枠１１の外周端面に上下に積み重ねるように固着されている。
【００１９】
図例のＥＬワイヤー１２ａ、１２ａは、１本がピンク、他の１本が黄色など、複数色を組み合わせたものである。１本のみの、あるいは３本以上のＥＬワイヤー１２ａで点灯部１２を構成してもよい。
【００２０】
点灯制御部１４、電源部１５、マイク１７および切替スイッチ１６は、めがね枠１１（めがね本体１０Ａ）とは別体のポケットサイズの箱体に設けてあり、それらが箱体に装備されて携帯用のコントローラ１３を構成している。コントローラ１３と点灯部１２とは電気的に配線で接続されている。なお、箱体の外面には、ベルトやズボン、スカートなどに取り付けるためフック（不図示）が設けてある。
【００２１】
切替スイッチ１６は、点灯部１２の常時点灯、点滅、音反応による点灯（音反応式点灯）の３モードの点灯態様と、オフ（消灯）とを順次切り替えるための押しボタン式のスイッチである。図２に示したように、切替スイッチ１６を操作するごとに、常時点灯、点滅、音反応式点灯、オフの順で切り替わり、４回の操作で元に戻るようになっている。なお、３モードに切り替え可能なモード切替スイッチと、設定されたモードでの動作を開始させるためのモード開始ボタンとを組み合わせて切替スイッチを構成してもよい。
【００２２】
点灯制御部１４は、ＣＰＵ等よりなり、切替スイッチ１６の操作にしたがいモードを切り替えて、切り替えられた各モードに応じて点灯部１２を点灯制御をする。
【００２３】
３モードの点灯態様のうちの音反応式点灯は、マイク１７で集音された音に応じて点灯部１２が点灯する態様である。点灯制御部１４は、音を認識すれば点灯部１２を点灯させ、音を認識しなければ点灯部１２を消灯させる動作を実行する。
【００２４】
なお、点灯制御部１４は周波数や音の強弱を判断して点灯制御するようにしてもよいし、ある周波数の音を識別して所定の点灯・点滅パターンで点灯制御するようにしてもよい。
【００２５】
本実施形態のものでは、常時点灯、点滅、音反応式点灯のいずれのモードでも、２本のＥＬワイヤー１２ａ、１２ａは同時に点灯し、同時に消灯するようになっているが、別々に、たとえば時間差で点灯、消灯するようになっいてもよい。
【００２６】
電源部１５は乾電池（ボタン型電池も含む）よりなる。充電式としてもよい。また、電源部１５はＡＣ電源から電源の供給を受ける電源回路であってもよい。ＵＳＢ経由で電源供給されるようにしてもよい。
【００２７】
また、図１に示すように、コントローラ１３には感度ボリュームスイッチ１８も設けられている。このスイッチはマイク１７の集音感度を設定するためのスイッチであり、音反応式点灯モードのとき、設定された感度で音の有無の判定がなされる。感度がゼロであれば、音反応式点灯モードに設定されていても音には反応せず、音を発生させても点灯部１２は点灯しない。
【００２８】
このように、この発光めがね１０は上述した構成となっているため、簡単な操作で、めがね本体１０Ａ（特にめがね枠１１の輪郭部分）を複数の点灯態様で、かつユニークに点灯させることができる。そのようなめがねの点灯により、周囲の人を視覚的に楽しませることができる。子どもの玩具としてだけではなく、たとえばパーティや宴会の宴会芸、余興や仮装パーティの衣装として利用できる。特に、音反応式点灯モードは音楽を伴うカラオケやダンスなどに用いれば、音楽に合わせてめがねを発光させることができ、周囲の人たちをいっそう楽しませることができる。
【００２９】
また、発光めがね１０は小型のコントローラ１３の操作で動作するようになっているので、コントローラ１３をポケットに入れておけば、自然な動作で人知れず操作でき、周囲の人たちを突然の発光により驚かせることができる。
【００３０】
さらに、本実施形態のものはＥＬワイヤー１２ａ、１２ａがめがね枠１１の全周に取り付けてあるため、めがねの輪郭を派手に発光させることができる。また、ＥＬワイヤー１２ａは市販のものを利用できるので発光めがね１０を簡単に製造でき、しかもＥＬワイヤー１２ａをめがね枠１１の周囲に固着するだけなので製造コストも抑えられる。
【００３１】
このような発光めがね１０は、女性や子どもの夜間時の防犯用具としても利用できる。防犯用に利用するために、警報モードを付加した構成としてもよい。たとえば、警報ブザーをコントローラ１３あるいはめがね枠１１に内蔵して、警報モードに切り替えたときに点灯部１２が点灯し、警報ブザーが鳴動する構成としてもよい。
【００３２】
点灯部１２の配設の仕方は上記実施形態のものに限られない。上述したようなワイヤー状の点灯部１２を、透明または半透明のめがね枠１１に埋め込んでもよい。また、複数の点灯部をめがね枠１１の種々の部位に設けてもよい。また、点灯部をめがね枠１１に取り付けたり、埋め込んだりして設けたものに限られず、めがね枠１１のレンズ枠１１ａに嵌めてあるレンズ１９の表面や裏面に取り付けたものでもよい。さらに、めがね枠１１とレンズ１９の両方にまたがるように取り付けたものでもよい。また、点灯部１２をＥＬワイヤー１２ａに代えて、発光ダイオードや極小の豆電球で構成してもよい。
【００３３】
また、コントローラ１３は、さらにコンパクトにしたものをめがね枠１１のアーム１１ｂやレンズ枠１１ａに取り付けたり、埋め込んだりした構成としてもよい。さらに、コントローラ１３に装備される電源部１５、マイク１７、切替スイッチ１６などを個別にめがね枠１１に取り付けたり、埋め込んだりしてもよい。
【符号の説明】
【００３４】
１０          発光めがね
１０Ａ        めがね本体
１１          めがね枠
１１ａ        レンズ枠
１１ｂ        アーム
１２          点灯部
１２ａ        ＥＬワイヤー
１３          コントローラ
１４          点灯制御部
１５          電源部
１６          切替スイッチ
１７          マイク
１８          感度ボリュームスイッチ
１９          レンズ
【図１】
0003192361.tif 000003
【図２】
0003192361.tif 000004